(57)【特許請求の範囲】
【請求項１】
プラント装置から入力されたプラント情報を処理するプラント情報管理部と、プラント設備のプラント監視画面を表示する表示装置と、前記プラント監視画面上にオペレータが貼付する付箋紙の情報を入力する入力装置とを有するプラント設備の監視制御装置において、
前記監視制御装置は、時刻管理部と、付箋紙の有効期限を含む付箋紙情報を格納する付箋紙定義格納メモリを有し、付箋紙の有効期限が経過したときにオペレータに付箋紙の除去を通知するとともに、有効期限が経過した全ての付箋紙を貼付したプラント監視画面を自動的に表示することを特徴とするプラント設備の監視制御装置。
【請求項２】
請求項１に記載されたプラント設備の監視制御装置において、前記プラント情報管理部と前記付箋紙定義格納メモリの情報に基づいて、前記表示装置のプラント監視画面上に付箋紙を貼付する画面表示マネージャを有することを特徴とするプラント設備の監視制御装置。
【請求項３】
請求項１または２に記載されたプラント設備の監視制御装置において、前記付箋紙情報
は、付箋紙番号と、付箋紙メッセージと、付箋紙を貼付するプラント監視画面番号と、付箋紙の有効期限が経過したときにアラームを出力するアラーム発生時刻と、アラーム形式を有することを特徴とするプラント設備の監視制御装置。
【請求項４】
請求項３に記載されたプラント設備の監視制御装置において、前記アラームは音声情報を用いてオペレータに通知することを特徴とするプラント設備の監視制御装置。
【請求項５】
請求項３に記載されたプラント設備の監視制御装置において、前記アラームはプラント監視画面上の付箋紙を点滅させて実施することを特徴とするプラント設備の監視制御装置。
【請求項６】
請求項１乃至５のいずれかに記載されたプラント設備の監視制御装置において、前記表示装置の画面に、有効期限が経過した付箋紙の情報を表示するアラーム表示画面を有することを特徴とするプラント設備の監視制御装置。
【請求項７】
請求項６に記載されたプラント設備の監視制御装置において、前記アラームはプラント監視画面上のアラーム表示画面を点滅させて実施することを特徴とするプラント設備の監視制御装置。
【請求項８】
請求項１乃至７のいずれかに記載されたプラント設備の監視制御装置において、前記付箋紙情報は付箋紙を作成したオペレータのＩＤ情報を有し、該ＩＤ情報に基づいて、当該オペレータの作成した付箋紙を表示することを特徴とするプラント設備の監視制御装置。
【請求項９】
請求項１乃至８のいずれかに記載されたプラント設備の監視制御装置において、前記付箋紙情報として、プラント設備の管理スケジュールを有することを特徴とするプラント設備の監視制御装置。
【発明の詳細な説明】
【技術分野】
【０００１】
本発明はキーボード、マウス等の入力装置および表示装置を用いてプラント設備の運転状態等の監視をおこなう監視制御装置に関する。
【背景技術】
【０００２】
上下水道設備プラント等の各種プラントにおいては、オペレータが監視制御装置を用いて機器状態の監視、操作、保守点検を日々行っている。この場合、機器の監視はプラントからセンサによって自動的に入力される状態信号、故障信号等から判断できるが、点検・保守等の作業情報は特にプラント入力される信号が無いため、監視制御装置で自動的に表示することができない。この点を補う機能として、監視制御装置の表示装置におけるプラント監視画面では付箋紙を用いた連絡方式が用いられている。
【０００３】
付箋紙は、プラント監視画面の各画面上の該当機器表示部付近に、要点を纏めた文章等をデジタル画像として貼付することによって実施している。この付箋紙によりプラント運転に携わる複数のオペレータに機器の状態を示し、現時点のプラント運転状態の情報を共有させる事ができる。
【０００４】
しかし、付箋紙を使用する場合にはプラント監視画面上に貼付した付箋紙の有効期限が経過した状態のまま機器管理を行ってしまう可能性がある。付箋紙は、基本的にはこれを作成し貼付したオペレータが判断を下さない限りプラント監視画面上から除去されない。また付箋紙を作成したオペレータは、プラント監視画面上に貼付された付箋紙が自らの視野に入らなければ有効期限が経過した付箋紙の除去を忘れがちになる。このように付箋紙を使用する場合には、有効期限が経過して失効した付箋紙に従って点検・保守が継続される事態を改善する必要がある。
【０００５】
また、プラントには通常スケジュール管理が必要な機器を含んでいる。主機等の重要設備は自動制御による運転が行われるが、軽微な機器はオペレータが手動運転を行っている。これらの機器にスケジュール運転が必要な場合はオペレータの判断による運転操作をしているが、監視制御装置の機能として容易に設定可能なタイマやスケジューラが存在しない。従ってオペレータのプラント運転支援のために簡便な運転支援手段が必要である。
【０００６】
特許文献１では、付箋紙に代わり、あらかじめ時間設定をすることによりポップウィンドウの自動表示、自動消去を可能としている。また、特許文献２では、オペレータの作成したメモ情報を任意のシステム監視画面上に表示する監視制御装置が開示されている。メモ情報は任意のシステム監視画面に関する属性情報を持ち、表示装置は属性情報を持つシステム監視画面に上記メモ情報を表示する。メモ情報は音声データ、点滅等により見落しの無いように表示される。
【先行技術文献】
【特許文献】
【０００７】
【特許文献１】特開２００４−１６８０３１号公報
【特許文献２】特開２００９−２８８０９３号公報
【発明の概要】
【発明が解決しようとする課題】
【０００８】
付箋紙を用いることにより監視制御装置画面での注意喚起は容易になったが、付箋紙メッセージの有効期限は作成者のオペレータしか判断できず、また付箋紙が貼付された画面が表示されなければ有効期限が経過した付箋紙に気づかない。自動的に付箋紙を除去する事も可能であるが、作成者の意図しない状況で除去することはかえってリスクが大きい。従って付箋紙の有効期限経過を作成者に適切に告知する手段が求められている。
【０００９】
有効期限が経過した付箋紙の除去を忘れるのは付箋紙がオペレータの視野から外れると付箋紙への注意力が低下するためでもある。付箋紙を貼ったプラント監視画面を常時表示していれば適切に処理されるが、設備監視は広域に渡るため設備画面として数十枚から数百枚のプラント監視画面が存在し、この状況では付箋紙を貼ったプラント監視画面の在処や、付箋紙の内容まで記憶するのは困難である。
【００１０】
また、設備運用にはスケジュール管理が必要となる。スケジュール管理は管理担当者が立案してオペレータに口頭連絡等により徹底しているが口頭での連絡は忘れられる事が多い。
【００１１】
スケジュール管理表等の本格的管理機能を設けた場合には作成者は詳細に入力しがちとなり、結果的には入力に時間を要する、面倒である等から使用頻度が却って低下する事が必至であり、使われなくなる可能性が高い。従って、手間の掛からない簡便なスケジュール管理手段が身近に有ればその手段によるスケジュール管理が取り入られる。
【課題を解決するための手段】
【００１２】
本発明は、プラント装置から入力されたプラント情報を処理するプラント情報管理部と、プラント設備のプラント監視画面を表示する表示装置と、前記プラント監視画面上にオペレータが貼付する付箋紙の情報を入力する入力装置とを有するプラント設備の監視制御装置において、監視制御装置は、時刻管理部と、付箋紙の有効期限を含む付箋紙情報を格納する付箋紙定義格納メモリを有し、付箋紙の有効期限が経過したときにオペレータに付箋紙の除去を通知することを特徴とする。
【００１３】
また、プラント設備の監視制御装置において、前記プラント情報管理部と前記付箋紙定義格納メモリの情報に基づいて、前記表示装置のプラント監視画面上に付箋紙を貼付する画面表示マネージャを有することを特徴とする。
【００１４】
また、プラント設備の監視制御装置において、前記付箋紙情報は、付箋紙番号と、付箋紙メッセージと、付箋紙を貼付するプラント監視画面番号と、付箋紙の有効期限が経過したときにアラームを出力するアラーム発生時刻と、アラーム形式を有することを特徴とする。
【００１５】
また、プラント設備の監視制御装置において、前記アラームは音声情報を用いてオペレータに通知することを特徴とする。
【００１６】
また、プラント設備の監視制御装置において、前記アラームはプラント監視画面上の付箋紙を点滅させて実施することを特徴とする。
【００１７】
また、プラント設備の監視制御装置において、前記表示装置の画面に、有効期限が経過した付箋紙の情報を表示するアラーム表示画面を有することを特徴とする。
【００１８】
また、プラント設備の監視制御装置において、前記アラームはプラント監視画面上のアラーム表示画面を点滅させて実施することを特徴とする。
【００１９】
また、プラント設備の監視制御装置において、前記付箋紙情報は付箋紙を作成したオペレータのＩＤ情報を有し、該ＩＤ情報に基づいて、当該オペレータの作成した付箋紙を表示することを特徴とする。
【００２０】
また、プラント設備の監視制御装置において、有効期限が経過した付箋紙を貼付したプラント監視画面を自動的に表示することを特徴とする。
【００２１】
さらに、プラント設備の監視制御装置において、前記付箋紙情報として、プラント設備の管理スケジュールを有することを特徴とする。
【発明の効果】
【００２２】
本発明は、プラント情報管理部と、プラント監視画面を表示する表示装置と、前記プラント監視画面上にオペレータが貼付する付箋紙の情報を入力する入力装置とを有するプラント設備の監視制御装置において、時刻管理部と、付箋紙の有効期限を含む付箋紙情報を格納する付箋紙定義格納メモリを有し、付箋紙の有効期限が経過したときに、有効期限が経過した付箋紙の内容を視覚、聴覚でオペレータに通知し再認識させる事により、確実に付箋紙の除去を実施できる。
【００２３】
更に付箋紙をそのままスケジュール管理に利用するため、簡潔に要点が記載され、かつ視覚、聴覚でスケジュール情報の再認識ができ、付箋紙によりプラント設備の簡便なスケジュール管理が可能となる。
【図面の簡単な説明】
【００２４】
【図１】監視制御装置の基本構成を示すブロック図
【図２】監視制御装置の付箋紙制御に関する構成を示すブロック図
【図３】付箋紙定義を行う表示装置の入力画面を示す説明図
【図４】付箋紙メッセージ出力を示す説明図
【図５】付箋紙定義の処理手順を示すフローチャート
【発明を実施するための形態】
【００２５】
以下、図に従って本発明の実施形態を説明する。図１は監視制御装置のシステム構成図である。監視制御装置１００は表示装置１０１を備えている。１０１ａは表示装置１０１の画面上のアラーム表示画面であり、１０１ｂは任意のプラント監視画面を示す。１０２はシステム監視画面１０１ｂ上に貼付された付箋紙である。プラント装置１０８から機器状態信号をＩ／Ｏ１０７を介してコントローラ１０６に取り込み、定期的に情報を収集する。ネットワーク１０５と監視制御装置１００を物理的に接続し、プラント情報管理部１０４により処理されたプラント情報を解析する。この結果を用いて画面表示マネージャー１０３が表示装置１０１にプラント装置１０８の状態を表示する。
【００２６】
また、プラント情報と別に入力装置であるキーボード１１１からオペレータにより入力された付箋紙設定情報を入力処理部１１０を経て付箋紙定義格納メモリ１０９へ書き込む。画面表示マネージャ１０３は付箋紙定義格納メモリ１０９に格納された情報を時刻管理部１１２より出力した現在時刻と比較し、表示装置１０１に表示する処理を実施する。
【００２７】
図２は監視制御装置１００において、特に付箋紙１０２の制御に関する構成を説明するブロック図である。図１の付箋紙定義格納メモリ１０９に格納された付箋紙定義ファイル２０３に記録された情報は、付箋紙番号２０４、付箋紙を貼付した画面番号２０５、付箋紙で入力されたメッセージ番号２０６、音声による外部鳴動に関するチャイム有無２０７、チャイム外部出力設定時刻２０８から構成されている。メッセージ番号２０６は、同様に付箋紙定義格納メモリ１０９に格納されたメッセージ定義テキストファイル２０９とリンクされており、メッセージ定義テキストファイル２０９はメッセージ番号２１０と付箋紙に入力されたメッセージ２１１からなる。
【００２８】
ここで、更に付箋紙をそのままスケジュール管理に利用するため、プラント設備の管理スケジュール情報を付箋紙定義ファイル２０３に記録された情報に追加することができる。この場合は、簡潔にスケジュール管理の要点が記載され、かつ視覚または聴覚でスケジュール情報の再認識ができ、付箋紙によりプラント設備の簡便なスケジュール管理が可能となる。
【００２９】
監視制御装置装置１００は、付箋紙定義ファイル２０３、メッセージ定義テキストファイル２０９と、時刻管理部１１２からメッセージの出力有無判定を行うメッセージ管理部２１３により設定時刻に到達すると表示装置１０１にメッセージを表示する。チャイム管理部２１５はメッセージ管理部２１３と同様に、設定時刻に到達すると外部スピーカへチャイム出力２１６を行う。
【００３０】
図３は表示装置１０１上の付箋紙の設定画面３０１を示す。表示エリア３０２に必要な作業状況等に関する情報を文字入力する。付箋紙エディタの設定項目にお知らせチャイムの設定エリア３０３を設けて付箋紙アラーム情報の外部出力時刻を設定可能とする。すなわち、付箋紙情報の掲示有効期限を外部出力時刻として設定し、有効期限が切れて付箋紙情報が無効になった場合に、アラームを出して付箋紙を作成したオペレータに付箋紙の除去を促す。例えば作業が終了したにもかかわらず付箋紙を貼付したままにすると、誤った情報に基づいてシステム管理が行われ、適切な効率のよい制御が行えなくなるおそれがある。
【００３１】
外部出力時刻はプルダウンメニューから選択可能としてもよい。３０４は全クライアント（オペレータ）に付箋紙を表示する場合に入力するチェックボックスである。３０５はお知らせチャイムを出力する場合のチェックボックスである。チェックボックス３０５にチェックありの場合は、チャイム機能を有効とする。
【００３２】
図４は監視制御装置の表示装置１０１に出力するメッセージ４０１を表す。これは図１、図２における表示装置１０１のプラント監視画面上のアラーム表示画面１０１ａに表示されるメッセージである。メッセージ４０１の内容は、点滅表示、色識別表示等を行うアイキャッチ４０２、付箋紙番号４０３、図３で設定したお知らせチャイム等のアラーム発生時刻４０４、警報種別４０５、付箋紙貼り付け画面番号４０６、及び付箋紙メッセージ４０７から構成される。
【００３３】
監視制御装置において、表示装置１０１のプラント監視画面上のアラーム表示画面１０１ａに表示されるメッセージの代わりに、有効期限が経過した付箋紙を貼付したプラント監視画面を自動的に表示することもできる。この場合には該当する画面を順に表示してゆくことによってオペレータが該当するプラント監視画面に切り替える手間が省ける。
【００３４】
メッセージ４０１には、付箋紙を作成したオペレータのＩＤ情報を追加することも出来る。これにより特定のオペレータに関する付箋紙情報のみを表示することが可能となり、当該オペレータがシステムに自らのＩＤを入力すると自らの付箋紙に関する情報のみをチェックすることも可能になる。
【００３５】
アイキャッチ、メッセージはアラーム発生時すなわちメッセージ有効期限到達時に点滅を開始し、点滅停止操作により点灯に変わる。メッセージは点灯状態時に表示復帰操作で消去される。
【００３６】
図５は付箋紙の設定処理手順を示すフローチャートである。付箋紙作成時にはステップＳ５０１で作成画面を表示し、Ｓ５０２でお知らせチャイムの時刻設定入力を実施する。Ｓ５０３のお知らせチェックボックスの判定でチェック有りの場合はＳ５０４に進み設定時刻到達でメッセージ出力、チャイム鳴動及び付箋紙のフリッカ（点滅）を行う。お知らせチェックボックスの判定でチェック無しの場合はＳ５０５に進み付箋紙に対しての処理は行わない。
【００３７】
Ｓ５０６のオペレータによる警報停止処理で、クライアント警報停止有りの場合はＳ５０７に進みチャイム鳴動（警報）を停止させる処理を行い、クライアント警報停止無しの場合はＳ５０８に進み自動タイマによるチャイムの停止を行う。次にＳ５０９のオペレータによるクライアント点滅停止処理で、クライアント点滅停止有りの場合はＳ５１０に進み付箋紙点滅を停止し、クライアント点滅停止が無い場合は、Ｓ５１１に進み点滅停止操作されるまで付箋紙のフリッカを継続する。点滅停止については、あくまでもオペレータの判断に委ねて注意喚起を継続する。
【符号の説明】
【００３８】
１００：監視制御装置
１０１：表示装置
１０１a：アラーム表示画面
１０１ｂ：プラント監視画面
１０２：付箋紙
１０３：画面表示マネージャ
１０４：プラント情報管理部
１０９：付箋紙定義格納メモリ
１１１：キーボード
１１２：時刻管理部
【図１】
0005629547.tif 000002
【図２】
0005629547.tif 000003
【図３】
0005629547.tif 000004
【図４】
0005629547.tif 000005
【図５】
0005629547.tif 000006